(57)【特許請求の範囲】
【請求項１】
２つの部分上の電気部品間にヒンジを提供するように構成された電気コネクタアセンブリであって、
第１のコネクタ及び第２のコネクタであって、前記第１及び第２のコネクタが、雌雄同体であり、各コネクタは、導電性の電気端子と、該電気端子が配置される非導電性の支持体と、を含んでおり、前記電気端子が、本体と、そこから延在する接触アームと、該接触アームから延在する接触突出部と、を含んでおり、前記接触アームが、前記本体に対して屈曲することができ、前記支持体が、それを通るスロットを有しており、前記接触アームは、該接触アームが前記スロット内に屈曲することができるように該スロットに近接している、第１のコネクタ及び第２のコネクタと、
前記第１及び第２のコネクタを通って延在するヒンジピンであって、前記第１及び第２のコネクタが、前記ヒンジピンの周りで回転可能である、ヒンジピンと、を含み、
前記第１のコネクタが前記第２のコネクタと嵌合するときに、前記第１のコネクタの接触突出部が、前記第２のコネクタの本体と係合し、かつ前記第２のコネクタの接触突出部が、前記第１のコネクタの本体と係合し、
前記第１及び第２のコネクタが互いに対して回転する間に、前記第１のコネクタの接触突出部が、前記第２のコネクタの本体との係合を維持し、かつ前記第２のコネクタの接触突出部が、前記第１のコネクタの本体との係合を維持する、電気コネクタアセンブリ。
【請求項２】
各コネクタにおいて、前記電気端子が、それぞれの支持体における凹部内に部分的に配置されている、請求項１に記載の電気コネクタアセンブリ。
【請求項３】
各コネクタにおいて、前記電気端子は、それぞれの電気端子の端部分がそれぞれのコネクタから外方に延在するように、それぞれの支持体の一部分を部分的に通過する、請求項２に記載の電気コネクタアセンブリ。
【請求項４】
各接触アームが湾曲している、請求項１に記載の電気コネクタアセンブリ。
【請求項５】
各スロットが湾曲している、請求項４に記載の電気コネクタアセンブリ。
【請求項６】
各支持体は、電気接点が着座する第１の表面と、第２の反対側の表面と、前記表面の間に延在する外壁と、を有しており、各支持体の外壁の一部分が、弓形状に従っている、請求項１に記載の電気コネクタアセンブリ。
【請求項７】
各接触アームが湾曲している、請求項６に記載の電気コネクタアセンブリ。
【請求項８】
各スロットが湾曲している、請求項７に記載の電気コネクタアセンブリ。
【請求項９】
各第２の表面が平らである、請求項６に記載の電気コネクタアセンブリ。
【請求項１０】
前記第１のコネクタ及び第２のコネクタに垂直に積層された第３のコネクタ及び第４のコネクタであって、前記第３及び第４のコネクタが、雌雄同体であり、各コネクタは、導電性の電気端子と、該電気端子が配置される非導電性の支持体と、を含んでおり、前記電気端子が、本体と、そこから延在する接触アームと、該接触アームから延在する接触突出部と、を含んでおり、前記接触アームが、前記本体に対して屈曲することができ、前記支持体が、それを通るスロットを有しており、前記接触アームは、該接触アームが前記スロット内に屈曲することができるように該スロットに近接している、第３のコネクタ及び第４のコネクタ、を更に含み、
前記第１及び第２のコネクタを通って延在するヒンジピンは、前記第３及び第４のコネクタを通って延在し、前記第３及び第４のコネクタが、前記ヒンジピンの周りを回転可能であり、
前記第３のコネクタが前記第４のコネクタと嵌合するときに、前記第３のコネクタの接触突出部が、前記第４のコネクタの本体と係合し、かつ前記第４のコネクタの接触突出部が、前記第３のコネクタの本体と係合し、
前記第３及び第４のコネクタが互いに対して回転する間に、前記第３のコネクタの接触突出部が、前記第４のコネクタの本体との係合を維持し、かつ前記第４のコネクタの接触突出部が、前記第３のコネクタの本体との係合を維持する、請求項１に記載の電気コネクタアセンブリ。
【請求項１１】
各接触アームが湾曲している、請求項１０に記載の電気コネクタアセンブリ。
【請求項１２】
各スロットが湾曲している、請求項１１に記載の電気コネクタアセンブリ。
【請求項１３】
デバイスであって、
第１の電気部品を有する第１の部分と、
第２の電気部品を有する第２の部分と、
前記第１の電気部品と前記第２の電気部品との間の電気的接続を提供する一方で、前記第１及び第２の部分が互いに対して回転することを可能にする、電気コネクタアセンブリであって、該電気コネクタアセンブリが、
第１のコネクタ及び第２のコネクタであって、前記第１及び第２のコネクタが、雌雄同体であり、各コネクタは、導電性の電気端子と、該電気端子が配置される非導電性の支持体と、を含んでおり、前記電気端子が、本体と、そこから延在する接触アームと、該接触アームから延在する接触突出部と、を含んでおり、前記接触アームが、前記本体に対して屈曲することができ、前記支持体が、それを通るスロットを有しており、前記接触アームは、該接触アームが前記スロット内に屈曲することができるように該スロットに近接しており、前記第１のコネクタが、前記第１の電気部品に電気的に接続されており、前記第２のコネクタが、前記第２の電気部品に電気的に接続されている、第１のコネクタ及び第２のコネクタと、
前記第１及び第２のコネクタを通って延在するヒンジピンであって、前記第１及び第２のコネクタが、前記ヒンジピンの周りで回転可能である、ヒンジピンと、を含み、
前記第１のコネクタが前記第２のコネクタと嵌合するときに、前記第１のコネクタの接触突出部が、前記第２のコネクタの本体と係合し、かつ前記第２のコネクタの接触突出部が、前記第１のコネクタの本体と係合し、
前記第１及び第２のコネクタが互いに対して回転する間に、前記第１のコネクタの接触突出部が、前記第２のコネクタの本体との係合を維持し、かつ前記第２のコネクタの接触突出部が、前記第１のコネクタの本体との係合を維持する、電気コネクタアセンブリと、を含む、デバイス。
【請求項１４】
各コネクタにおいて、前記電気端子が、それぞれの支持体における凹部内に部分的に配置されている、請求項１３に記載のデバイス。
【請求項１５】
各コネクタにおいて、前記電気端子は、それぞれの電気端子の端部分がそれぞれのコネクタから外方に延在するように、それぞれの支持体の一部分を部分的に通過する、請求項１４に記載のデバイス。
【請求項１６】
各コネクタは、前記電気端子が装着される凹部を形成する、少なくとも１つの壁を含んでいる、請求項１３に記載のデバイス。
【請求項１７】
各接触アームが湾曲している、請求項１３に記載のデバイス。
【請求項１８】
各スロットが湾曲している、請求項１７に記載のデバイス。
【請求項１９】
前記第１のコネクタ及び第２のコネクタに垂直に積層された第３のコネクタ及び第４のコネクタであって、前記第３及び第４のコネクタが、雌雄同体であり、各コネクタは、導電性の電気端子と、該電気端子が配置される非導電性の支持体と、を含んでおり、前記電気端子が、本体と、そこから延在する接触アームと、該接触アームから延在する接触突出部と、を含んでおり、前記接触アームが、前記本体に対して屈曲することができ、前記支持体が、それを通るスロットを有しており、前記接触アームは、該接触アームが前記スロット内に屈曲することができるように該スロットに近接しており、前記第３のコネクタが、前記第１の電気部品に電気的に接続されており、前記第４のコネクタが、前記第２の電気部品に電気的に接続されている、第３のコネクタ及び第４のコネクタ、を更に含み、
前記第１及び第２のコネクタを通って延在するヒンジピンは、前記第３及び第４のコネクタを通って延在し、前記第３及び第４のコネクタが、前記ヒンジピンの周りを回転可能であり、
前記第３のコネクタが前記第４のコネクタと嵌合するときに、前記第３のコネクタの接触突出部が、前記第４のコネクタの本体と係合し、かつ前記第４のコネクタの接触突出部が、前記第３のコネクタの本体と係合し、
前記第３及び第４のコネクタが互いに対して回転する間に、前記第３のコネクタの接触突出部が、前記第４のコネクタの本体との係合を維持し、かつ前記第４のコネクタの接触突出部が、前記第３のコネクタの本体との係合を維持する、請求項１３に記載のデバイス。
【請求項２０】
前記デバイスが、拡張アイウェアであり、前記第１の部分が、アイピース部分であり、前記第１の電気部品が、前記アイピース部分と関連付けられたディスプレイデバイスであり、前記第２の部分が、アームピース部分であり、前記第２の電気部品が、前記アームピース部分上に設けられて、前記ディスプレイデバイスを駆動するように構成されている、請求項１３に記載のデバイス。
【発明の詳細な説明】
【技術分野】
【０００１】
関連出願
本出願は、２０１７年８月１６日に出願された米国仮特許出願第６２／５４６，２５１号の優先権を主張するものであり、参照によりその全体が本明細書に組み込まれる。
【０００２】
本開示は、電気コネクタアセンブリの分野に関し、より具体的には、ヒンジ付き要素を有する電気コネクタアセンブリに関する。
【背景技術】
【０００３】
ヒンジ付き要素を有する電気コネクタアセンブリは、回転中及び回転後に２つの要素間の電気的接触を維持しながら、互いに対して回転する少なくとも２つの要素の間で使用するのに好適である。これらのタイプのコネクタアセンブリは、典型的には、回転式のヒンジ付きディスプレイ、典型的には回転接触リング及び偏向可能な接点を利用するスリップリングと共に使用される。
【発明の概要】
【０００４】
電気コネクタアセンブリは、拡張アイウェアのアイピース部分及びアームピース部分などの２つの部分の間にヒンジを提供する。アセンブリは、互いに対して回転可能である第１及び第２の雌雄同体コネクタを含む。各コネクタは、非導電性支持体上に配置された導電性電気端子を含む。各電気端子は、本体と、それから延在する可撓性接触アームと、接触アームから突出する接触突出部と、を含む。接触アームは、支持体のスロット内に屈曲することができる。各アーム上の接触突出部は、回転中に他のコネクタの本体との係合を維持する。
【０００５】
この概要は、本開示のいくつかの態様の基本的な理解を提供するために、いくつかの例示的実施形態を要約する目的で提供される。したがって、上述の例示的実施形態は単なる例であり、いかなるようにも本開示の範囲又は趣旨を狭めるように解釈されるべきではないことが理解されるであろう。様々な開示される実施形態の他の実施形態、態様、及び利点は、説明される実施形態の原理を例として示す添付図面と併せて以下の詳細な説明を読めば、明らかになるであろう。
【図面の簡単な説明】
【０００６】
【図１】本開示の一実施形態による電気コネクタアセンブリの斜視図である。
【図２】デバイスと共に組み立てられた電気コネクタアセンブリの上面図である。
【図３】電気コネクタアセンブリの部分的な分解斜視図である。
【図４】電気コネクタアセンブリの一対のコネクタの部分的な断面図である。
【図５】電気コネクタアセンブリの電気端子の上面図である。
【図６】電気コネクタアセンブリの支持部の上面図である。
【図７】電気コネクタアセンブリのコネクタの分解斜視図である。
【図８】電気コネクタアセンブリの一対のコネクタの分解斜視図である。
【図９】電気コネクタアセンブリのコネクタのうちの１つの上面図である。
【図１０】電気コネクタアセンブリを含む拡張アイウェアの斜視図である。
【図１１】図９の拡張アイウェアの代替斜視図である。
【発明を実施するための形態】
【０００７】
本開示は、異なる形態の実施形態が可能であり、具体的な実施形態が図面で示され、また本明細書で詳細に説明されるが、本開示は、本開示の原理の例証であるとみなされ、図示され、かつ本明細書で説明されるものに本開示を限定することを意図しないという理解の下で行われる。したがって、特記しない限り、本明細書に開示された特徴を組み合わせて、簡潔にするために別途示されなかった、追加の組み合わせを形成してもよい。いくつかの実施形態では、図面において実施例として示される１つ以上の要素は、本開示の範囲内の代替的な要素で排除及び／又は置換され得ることが更に理解されるであろう。
【０００８】
電気コネクタアセンブリ２０は、デバイス２６の２つの部分２２、２４の間にヒンジを形成するために提供される。デバイス２６の各部分２２、２４は、その上に電気部品２２’、２４’を有しており、電気コネクタアセンブリ２０は、２つの部分２２、２４上の電気部品２２’、２４’間に電気的接続を提供する一方で、部分２２、２４が互いに対して回転することを可能にする。図面に示されるように、デバイス２６は、拡張アイウェアとして示されている。図面は、本開示のある実施形態を例解するものであることを理解されたい。また開示される実施形態は、種々の形態で具体化され得る本開示の例示にすぎないことを理解されたい。したがって、本明細書に開示される具体的な詳細は、限定するものとして解釈されるべきではなく、単に、特許請求の範囲のための基礎として、かつ本開示を様々に用いることを当業者に教示するための代表的な基礎として解釈されるべきである。例えば、デバイス２６は、自動車の一部（例えば、自動車のドアのためのヒンジを提供する電気コネクタアセンブリ２０）として、電化製品の一部（例えば、電化製品のドアのためのヒンジを提供する電気コネクタアセンブリ２０）などとして提供され得る。
【０００９】
電気コネクタアセンブリ２０は、コネクタスタック３２を形成するように垂直に積層された関係で配置された、少なくとも一対のコネクタ３０ａ、３０ｂと、コネクタスタック３２を通って延在し、かつその周りで少なくとも一対のコネクタ３０ａ、３０ｂが回転することができる、ヒンジピン３４と、を含む。各対のコネクタ３０ａ、３０ｂは、ヒンジピン３４の周りで互いに対して回転することができる。コネクタ３０ａは、部分２２に取り付けられ、かつ部分２２に電気的に接続されており、コネクタ３０ｂは、部分２４に取り付けられ、かつ部分２４に電気的に接続されている。５対のコネクタ３０ａ、３０ｂが示されているが、５対以上のコネクタ３０ａ、３０ｂが提供されてもよい。コネクタ３０ａ、３０ｂの対の数は、デバイス２６に必要とされる機能的特徴に必要な所望の数の回路に従って調節され得る。
【００１０】
各コネクタ３０ａ、３０ｂは同一であり、コネクタ３０ａ、３０ｂは交互の鏡写しの関係に配設されており、したがって、単一のコネクタ３０ａが説明され、他のコネクタ３０ｂは同一の特徴について同じ参照番号を有するが、接尾辞「ｂ」と共に示されることを理解する。コネクタ３０ａは、電気端子３６ａと、電気端子３６ａが装着されるハウジング又は支持体３８ａと、を含む。
【００１１】
電気端子３６ａは、導電性材料で形成されている。電気端子３６ａは、スタンピング及び形成によって形成されてもよい。電気端子３６ａは、弾性導電性の平坦なストック、一般的には銅又は銅系合金から形成されてもよい。図５及び図７に最もよく示されるように、電気端子３６ａは、基部セクション４０ａと、基部セクション４０ａから延在する装着セクション４２ａと、装着セクション４２ａから延在するタブセクション４４ａと、を有する。
【００１２】
基部セクション４０ａは、第１の表面４６ａ及び第２の反対側の表面４８ａを有する。一実施形態では、表面４６ａ、４８ａは、本明細書で論じる接触突出部５０ａを除いて、平面状である。一実施形態では、基部セクション４０ａは、円形の構成である。開口部５２ａは、表面４６ａ、４８ａの間の基部セクション４０ａを通って形成され、一実施形態では、開口部５２ａは、基部セクション４０ａの中心に形成される。基部セクション４０ａの表面４６ａ、４８ａ間に細長いスロット５４ａが形成されて、基部セクション４０ａを、本体５６ａ及び接触アーム５８ａに分割する。細長いスロット５４ａは、基部セクション４０ａの外周から延在する外側端部を有する、入口部分６０ａと、入口部分６０ａの内側端部から延在する延在部分６２ａと、を含む。一実施形態では、入口部分６０ａは基部セクション４０ａの中心に対して半径方向に延在しており、延在部分６２ａは、基部セクション４０ａの中心から半径方向に離間した弓形状に従う。接触アーム５８ａは、したがって、接触アーム５８ａの第１の端部が本体５６ａと一体的に形成され、かつ接触アーム５８ａの第２の端部が自由になるように、本体５６ａから片持ちにされる。一実施形態では、接触アーム５８ａは湾曲している。接触突出部５０ａは、接触アーム５８ａの第１の表面４６ａからその長さに沿って延在している。一実施形態では、接触突出部５０ａは、接触アーム５８ａから、第２の自由端部に近接しているが、第２の自由端部から離間している位置で延在する。スロット５４ａは、接触アーム５８ａが本体５６ａに対して屈曲することを可能にする。
【００１３】
装着セクション４２ａは、基部セクション４０ａから外方に延在している。装着セクション４２ａは、第１の表面及び第２の反対側の表面を有している。一実施形態では、表面は平らである。装着セクション４２ａは、接触アーム５８ａが設けられた基部セクション４０ａの反対側から延在していてもよい。一実施形態では、装着セクション４２ａは、装着セクション４２ａの第２の反対側の端部よりも広い基部セクション４０ａにおける第１の端部を有する。
【００１４】
タブセクション４４ａは、装着セクション４２ａの第２の端部から自由端部６６ａまで外方に延在している。タブセクション４４ａは、第１の表面及び第２の反対側の表面を有する。一実施形態では、表面は平らである。一実施形態では、タブセクション４４ａは、装着セクション４２ａに対して角度が付けられている。一実施形態では、タブセクション４４ａは、装着セクション４２ａに対して垂直である。
【００１５】
一実施形態では、接触アーム５８ａが屈曲されていないときに、接触突出部５０ａを除いて、基部セクション４０ａ、装着セクション４２ａ及びタブセクション４４ａの第１の表面は、互いに同一平面上にあり、接触アーム５８ａが屈曲されていないときに、基部セクション４０ａ、装着セクション４２ａ、及びタブセクション４４ａの第２の表面は、互いに同一平面上にある。
【００１６】
電気端子３６ａへの保護及び支持を提供するために、支持体３８ａは、電気端子３６ａの上／周囲に形成されている。支持体３８ａは、非導電性材料で形成される。図６及び図７に最もよく示されるように、支持体３８ａは、基部セクション６８ａと、基部セクション６８ａから延在する装着セクション７０ａと、装着セクション７０ａから延在するタブセクション７２ａと、を有する。
【００１７】
基部セクション６８ａは、第１の表面７４ａと、第２の反対側の表面７６ａと、それらの間に延在する側面７８ａと、を有する。一実施形態では、表面７４ａ、７６ａは平らである。開口部８０ａは、表面７４ａ、７６ａの間の基部セクション６８ａを通って形成され、一実施形態では、開口部８０ａは、基部セクション６８ａの中心に形成される。一実施形態では、基部セクション６８ａは、円形であり、かつ基部セクション４０ａよりもわずかに大きい。細長いスロット８２ａは、基部セクション６８ａが表面７４ａ、７６ａの間に延在するが、接触アーム５８ａがその中を通過することができるような寸法で形成される。スロット８２ａは、端部の間に延在する外側側壁と、端部の間に延在する内側側壁とを有する、第１及び第２の端部を有する。一実施形態では、スロット８２ａは、基部セクション６８ａの中心から半径方向に離間し、かつ弓形状に従っている。一実施形態では、細長いスロット８２ａは、接触アーム５８ａの形状を反映するが、接触アーム５８ａよりわずかに大きい。
【００１８】
装着セクション７０ａは、基部セクション６８ａから外方に延在している。装着セクション７０ａは、第１の表面８４ａと、第２の反対側の表面８６ａと、それらの間に延在する側面８８ａ、９０ａと、を有する。一実施形態では、第１及び第２表面８４ａ、８６ａは平らである。装着セクション７０ａは、スロット８２ａが設けられた基部セクション６８ａの反対側から延在していてもよい。一実施形態では、装着セクション７０ａは、装着セクション７０ａの第２の反対側の端部よりも広い基部セクション６８ａにおける第１の端部を有する。一実施形態では、基部セクション６８ａ及び装着セクション７０ａの第１の表面７４ａ、８４ａは、互いに同一平面上にあり、基部セクション６８ａ及び装着セクション７０ａの第２の表面７６ａ、８６ａは、互いに同一平面上にある。フランジ９２ａは、装着セクション７０ａの側面８８ａから外方に延在し、かつ装着セクション７０ａの第１の表面８４ａと第２の表面８６ａとの間に延在していてもよい。
【００１９】
タブセクション７２ａは、第１の表面９４ａと、第２の反対側の表面９６ａと、それらの間に延在する側面９８ａ、１００ａ、１０２ａと、を有する。一実施形態では、第１及び第２の表面９４ａ、９６ａは、平らである。側面９８ａは、側面８８ａと同一平面であってもよい。タブセクション７２ａの第１の端部は、装着セクション７０ａの第２の端部から延在している。一実施形態では、タブセクション７２ａの第１の表面９４ａは、タブセクション７２ａが基部セクション６８ａよりも高い高さを有し、かつ肩壁１０４ａが装着セクション７０ａとの接合部に形成されるように、基部セクション６８ａ及び装着セクション７０ａの第１の表面７４ａ、８４ａからオフセットされる。一実施形態では、基部セクション６８ａ、装着セクション７０ａ、及びタブセクション７２ａの第２の表面７６ａ、８６ａ、９６ａは、互いに同一平面上にある。
【００２０】
第１の壁１０６ａは、基部セクション６８ａ及び装着セクション７０ａの外周で第１の表面７４ａ、８４ａから延在し、かつ肩壁１０４ａから延在しており、第２の壁１０８ａは、開口８０ａの周囲の基部セクション６８ａの第１の表面７４ａから延在しており、第３の壁１１０ａは、基部セクション６８ａの第１の表面８４ａから延在し、かつスロット８２ａの第２の端部に近接しており、第４の壁１１２ａは、基部セクション６８ａの第１の表面７４ａから延在し、かつスロット８２ａの内側側壁に近接している。第３の壁１１０ａは、第１の壁１０６ａから内側に延在しており、第４の壁１１２ａは、第３の壁部１１０ａの内側端部から延在している。一実施形態では、第３の壁１１０ａは基部セクション６８ａの中心に対して半径方向に延在しており、第４の壁１１２ａは、基部セクション６８ａの中心から半径方向に離間した弓形状に従う。第３の壁１１０ａは、電気端子３６ａにおけるスロット５４ａの入口部分６０ａ内に適合する寸法であり、第４の壁１１２ａは、電気端子３６ａにおけるスロット５４ａの延在部分６２ａ内に適合する寸法である。壁１０４ａ、１０６ａ、１０８ａ、１１０ａ、１１２ａは、支持体３８ａ内に凹部１１４ａを形成する。肩壁１０４ａは、壁１０６ａ、１０８ａ、１１０ａ、１１２ａよりも高い高さを有してもよい。壁１０６ａ、１０８ａ、１１０ａ、１１２ａは、同じ高さ又は異なる高さを有してもよい。
【００２１】
電気端子３６ａは、図９に示されるように支持体３８ａに装着される。電気端子３６ａの基部セクション４０ａは、凹部１１４ａ内に着座する。支持体３８ａの第３の壁１１０ａは、電気端子３６ａにおけるスロット５４ａの入口部分６０ａ内に着座しており、支持体３８ａの第４の壁１１２ａは、電気端子３６ａにおけるスロット５４ａの延在部分６２ａ内に着座しており、接触アーム５８ａはスロット８２ａ上に位置付けられる。支持体３８ａの第２の壁１０８ａは、電気端子３６ａにおける開口部５２ａ内に着座する。電気端子３６ａの装着セクション４２ａは、凹部１１４ａ内に部分的に着座し、かつ支持体３８ａのタブセクション７２ａを部分的に通って延在する。電気端子３６ａのタブセクション４４ａは、支持体３８ａのタブセクション７２ａを部分的に通って延在し、かつ電気端子３６ａのタブセクション４４ａの端部６６ａは、支持部３８ａのタブセクション７２ａの側面９８ａから外方に延在しており、それによって、電気端子３６ａのタブセクション４４ａの一部分を支持体３８ａの外部に露出させる。フランジ９２ａは、タブセクション７２ａが延在するときに、コネクタ３０ａの同じ側の装着セクション７０ａから外方に延在する。
【００２２】
コネクタ３０ａ、３０ｂは、互いに垂直に積層されて、コネクタ３０ａ、３０ｂの対を形成する。各対において、電気端子３４ａ、３４ｂは互いに対向しており、コネクタ３０ａ上の接触突出部５０ａは、コネクタ３０ｂの基部セクション４０ｂと接触し、かつコネクタ３０ｂと電気的に係合しており、コネクタ３０ｂ上の接触突出部５０ｂは、コネクタ３０ａの基部セクション４０ａと接触し、かつコネクタ３０ａと電気的に係合している。スロット８２ａ、８２ｂは、接触アーム５８ａ、５８ｂが屈曲することを可能にする。開口部５２ａ、８０ａ、５２ｂ、８０ｂは、互いに整列して通路を形成し、かつコネクタ３０ａ、３０ｂが回転する軸を画定する。この配設では、各コネクタ３０ａ、３０ｂは、交互の鏡写しの関係、すなわち、各電気端子３６ａ、３６ｂが対向し、かつコネクタ３０ａ、３０ｂの他の電気端子３６ａ、３６ｂに対で露出される、雌雄同体配設に位置付けられる。
【００２３】
ヒンジピン３４は、整列された開口部５２ａ、８０ａ、５２ｂ、８０ｂを通って延在し、かつ一対のコネクタ３０ａ、３０ｂ（提供される場合、任意の残りの対３０ａ、３０ｂ）に固定される。ヒンジピン３４は、ヘッド１１６から延在するポスト１１８を有する拡大ヘッド１１６を含む。ヒンジピン３４のポスト１１８は、隣接するコネクタ３０ａ、３０ｂを一緒に固定する整列された開口部５２ａ、８０ａ、５２ｂ、８０ｂ内に配置される。ヒンジピン３４のポスト１１８は、支持体３８ａ、３８ｂ内の開口部８０ａ、８０ｂを形成する壁に係合しており、そのためコネクタ３０ａ、３０ｂの電気端子３６ａ、３６ｂではなく、コネクタ３０ａ、３０ｂの支持体３８ａ、３８ｂに、任意の横方向又は側方の荷重が加えられる。締結具（図示せず）がポスト１１８の端部に設けられて、ヒンジピン３４をコネクタスタック３２に固定することができる。ポスト１１８の端部は、ヒンジピン３４をコネクタスタック３２に固定するために、スエージングされてもよい。
【００２４】
コネクタ３０ａ、３０ｂの各対において、電気端子３６ａのタブセクション４４ａは、デバイス２６の第１の部分２２内の電気部品２２’に電気的に接続され、かつフランジ９２ａは、デバイス２６の第１の部分２２に接して着座しており、第２のコネクタ３０ｂ上のタブセクション４４ｂは、デバイス２６の第２の部分２４内の電気部品２４’に電気的に接続され、かつフランジ９２ｂは、デバイス２６の第２の部分２４に接して着座している。コネクタ３０ａ、３０ｂの隣接する対は、互いに対向する支持体３８ａ、３８ｂの第２の表面７６ａ、７６ｂを有する。タブセクション４４ａ、４４ｂは、各部分２２、２４内の剛性又はフレキシブル回路基板として形成され得る電気部品２２’、２４’に表面装着されるように構成されている。積層されたコネクタ３０ｂ、３０ｂは、コネクタスタック３２内で一緒にインターリーブされる。
【００２５】
動作中、１つのコネクタは、他のコネクタに対して回転し、例えば、コネクタ３０ａはコネクタ３０ｂに対して回転し、接触突出部５０ａは、対向する端子３６ｂの本体５６ｂに付勢される。接触突出部５０ａは、本体５６ｂ上に乗り、接触点から離れて軸方向に、かつ支持体３８ａ内に形成された対応するスロット８２ａ内に接触アーム５８ａを偏向させ、したがって、コネクタ３０ａ上の電気端子３６ａ上の接触突出部５０ａとコネクタ３０ｂの電気端子３６ｂの基部セクション４０ｂとの間の反発力又は垂直力を引き起こす。また接触突出部５０ｂは、本体５６ａ上に乗り、接触点から離れて軸方向に、かつ支持体３８ｂ内に形成された対応するスロット８２ｂ内に接触アーム５８ｂを偏向させ、したがって、コネクタ３０ｂ上の電気端子３６ｂ上の接触突出部５０ｂとコネクタ３０ａの電気端子３６ａの基部セクション４０ａとの間に反応又は垂直力を引き起こす。それにより、回転中の全ての時点で、コネクタ３０ａ、３０ｂ間の一定の電気的係合が維持される。
【００２６】
図に示されるように、電気コネクタアセンブリ２０は、動作中、デバイス２６が開位置にあり、閉じた位置又は折り畳まれた位置に移動するときに、電気コネクタアセンブリ２０が、それぞれ９０度の位置と０度の位置との間で動作するように、９０度の配設で示されている。他の配設では、電気コネクタアセンブリ２０は、１８０度〜９０度のストロークで動作することができる。この場合、電気コネクタアセンブリ２０は、開位置で１８０度、及び折り畳まれた位置又は閉位置において９０度で、平坦又は一列の状態である。他の角度ストローク及び移動範囲は、本開示の範囲内で想到され、例示される実施例に限定されるものではない。
【００２７】
図１０及び図１１に示されるように、デバイス２６は、拡張アイウェアであり、第１の部分２２は、アイピース部分であり、第２の部分２４は、アームピース部分である。典型的には、電気的接続部が不要な場合があるため、異なるヒンジを有し得る第２のアームピース部分がまた、提供される。典型的には、拡張アイウェアは、レンズ１３２内に組み込まれるか、又はアイピース部分上のレンズ１３２に近接して組み込まれる、ディスプレイデバイス１３０を含んでおり、ディスプレイデバイス１３０を駆動するための関連付けられた電気部品１３４は、アームピース部分のうちの１つに配設される。アームピース部分によって形成された第２の部分２４は、その上に装着された関連付けられた電気部品１３４を有するアーム基部１３６を含む。アーム基部１３６は、電気部品１３４装着するための電気部品２４’を含んでもよく、又は電気部品１３４は、ＭＩＤ（成形された相互接続デバイス（Molded Interconnect Device））構造体でアーム基部１３６上に直接的に装着されてもよい。追加的に、いくつかの実施形態は、特定用途向け電子機器パッケージング（Application Specific Electronics Packaging）（「ＡＳＥＰ」）システムを含み、それは、電子製品を現在製造するために使用されている「バッチ」プロセスとは対照的なリールツーリール（連続フロー）製造プロセスを使用して追加的な製品の製造を可能にする。一定のＡＳＥＰ実施形態を通して、コネクタ、センサ、ＬＥＤ、熱管理、アンテナ、ＲＦＩＤデバイス、マイクロプロセッサ、メモリ、インピーダンス制御、及び多層機能を直接的にデバイスの中に統合することが可能である。ＡＳＥＰパッケージングシステム及び方法の参照は、Ｍｏｌｅｘ，ＬＬＣによって所有されている国際公開第２０１７／００４０６（Ａ１）号に記載されている。図面に示されるアイウェアは、純粋に例示的であり、アイウェアの機能性を示す最小構造体を包含することを理解されたい。スタイルの考慮事項及び他の人間の効果の特徴は、説明には意図的に含まれておらず、したがって、その欠如は限定的ではない。
【００２８】
特定の実施形態が図面に例示され、図面に関して説明されているが、当業者は、添付の特許請求の範囲の趣旨及び範囲から逸脱することなく様々な修正を考案し得ることが想定される。したがって、本開示の範囲及び添付の特許請求の範囲は、図面に例示され、図面に関して説明された特定の実施形態に限定されるものではなく、その修正及び他の実施形態は、本開示及び添付図面の範囲内に含まれることが意図されることが理解されるであろう。更に、前述の説明及び関連する図面は、要素及び／又は機能の特定の例示的な組み合わせの文脈における例示的な実施形態を説明しているが、要素及び／又は機能の異なる組み合わせは、本開示の範囲及び添付の特許請求の範囲から逸脱することなく代替実施形態によって提供されてもよいことを理解されたい。
【図１】
0006914418.tif 000002
【図２】
0006914418.tif 000003
【図３】
0006914418.tif 000004
【図４】
0006914418.tif 000005
【図５】
0006914418.tif 000006
【図６】
0006914418.tif 000007
【図７】
0006914418.tif 000008
【図８】
0006914418.tif 000009
【図９】
0006914418.tif 000010
【図１０】
0006914418.tif 000011
【図１１】
0006914418.tif 000012